(57)【要約】【課題】構成部品が少なく，安定的に自立し，コンパクトで安価にする。【解決手段】本体ベースとアンテナ部とからなる室内アンテナにおいて，該室内アンテナを取付け対象に設置するための略長方形状に形成された設置面を底部としたときに，該底部からの上下方向の高さが，底部の短辺側の寸法より短く形成された本体ベースと，前記本体ベースに取付けられたアンテナ素子と，前記本体ベースの一方の長辺側から外方向に突設するように形成され，前記底部と共に設置面を構成する支持脚と，を具備した。【選択図】  図１
2006094443.tif 000002
【特許請求の範囲】
【請求項１】
本体ベースとアンテナ部とからなる室内アンテナにおいて，
該室内アンテナを取付け対象に設置するための略長方形状に形成された設置面を底部としたときに，該底部からの上下方向の高さが，底部の短辺側の寸法より短く形成された本体ベースと，
前記本体ベースに取付けられたアンテナ素子と，
前記本体ベースの一方の長辺側から外方向に突設するように形成され，前記底部と共に設置面を構成する支持脚と，を具備したことを特徴とした室内アンテナ。
【請求項２】
前記アンテナ素子は，前記本体ベースの略中心位置から，該本体ベースの一方の長辺側方向に取付けられたことを特徴とした請求項１に記載のアンテナ装置。
【請求項３】
少なくとも前記本体ベースの他方の長辺側の底部と，前記支持脚の一部が同一平面上となるように形成されたことを特徴とした請求項１又は請求項２に記載のアンテナ装置。
【請求項４】
前記支持脚は，本体ベースに着脱自在に固着したことを特徴とした請求項１乃至請求項３に記載のアンテナ装置。
【発明の詳細な説明】
【技術分野】
【０００１】
本発明は，テレビジョン放送又はＦＭ放送等を受信するための室内アンテナに関する。
【背景技術】
【０００２】
従来の室内アンテナには，卓上に載置して使用する場合と，壁面等に取付けて使用する２様の取付けを可能にする，卓上・壁面両用型のものが提供されている。例えば，特許文献１示されるような室内アンテナによれば，自立して卓上アンテナとして安定して使用できるように本体が大きく形成されている。
更に，特許文献２に示されるような室内アンテナにおいては卓上アンテナとして使用する時は，支持手段により支え位置に保持されるスタンドで本体をその後側から支持可能であるので，本体の高さ方向の寸法が奥行方向の寸法と比較して充分大きくとも，被設置面に載置して使用する状態での安定性が確保されている。
又，この室内アンテナを壁面等に取付けて使用する場合は，本体の背部にスタンドを格納した状態で，このスタンドの壁掛け部を利用して壁掛け使用状態とできるから，この状態での被設置面からの出幅が小さくコンパクト化を図ることができる。
【０００３】
【特許文献１】実開昭５９−７３８０９号公報
【特許文献２】特許３５３９９２７号公報
【発明の開示】
【発明が解決しようとする課題】
【０００４】
しかし，前記構成の自立した姿勢において安定性の良い室内アンテナは，自立して使用できるように本体が大きく形成されているため，本体の構成材料の使用量が多いだけではなく，梱包状態においてその荷姿が大きくならざるを得ないため，梱包及び輸送費がかさむ。
更に，参考文献２に示すような室内アンテナにおいては，本体とスタンドとそれに付随する構成部品が必要であり，構成材料の使用量が多く複雑な構成となっており，これによってコストアップとなっていた。
そこで本願においては，こうした問題点を解決するためになされたものであり，
その目的は，本体が小型であって，卓上使用状態での安定性を確保できる室内アンテナを提供することにある。
他の目的は，荷姿の状態において更に小型にできる室内アンテナを提供する。
他の目的は，構成部品の少ない安価な室内アンテナを提供することにある。
他の目的は，梱包容積及び梱包に要する資材を少なくでき且つ安価な室内アンテナを提供することにある。
他の目的及び利点は，図面及びそれに関した以下の説明により容易に明らかになるであろう。
【課題を解決するための手段】
【０００５】
上記課題を解決するために，請求項１の発明は，本体ベースとアンテナ部とからなる室内アンテナにおいて，該室内アンテナを取付け対象に設置するための略長方形状に形成された設置面を底部としたときに，該底部からの上下方向の高さが，底部の短辺側の寸法より短く形成された本体ベースと，前記本体ベースに取付けられたアンテナ素子と，前記本体ベースの一方の長辺側から外方向に突設するように形成され，前記底部と共に設置面を構成する支持脚と，を具備した。
【０００６】
請求項２の発明は，請求項１に記載のアンテナ装置において，前記アンテナ素子は，前記本体ベースの略中心位置から，該本体ベースの一方の長辺側方向に取付けられた。
【０００７】
請求項３の発明は，請求項１又は請求項２に記載のアンテナ装置において，少なくとも前記本体ベースの他方の長辺側の底部と，前記支持脚の一部が同一平面上となるように形成した。
【０００８】
請求項４の発明は，請求項１乃至請求項３に記載のアンテナ装置において，前記支持脚は，本体ベースに着脱自在に固着した。
【発明の効果】
【０００９】
以上詳述したように，請求項１の発明によれば，本体ベースとアンテナ部とからなる室内アンテナにおいて，該室内アンテナを取付け対象に設置するための略長方形状に形成された設置面を底部としたときに，該底部からの上下方向の高さが，底部の短辺側の寸法より短く形成された本体ベースと，前記本体ベースに取付けられたアンテナ素子と，前記本体ベースの一方の長辺側から外方向に突設するように形成され，前記底部と共に設置面を構成する支持脚と，を具備したので，
前記支持脚によって，安定的自立させると共に，支持脚を必要としない場合若しくは荷姿にある場合など支持脚を必要としない場合においては，前記支持脚を収納若しくは着脱させることによって，小型の室内アンテナを提供できる。
【００１０】
請求項２の発明によれば，請求項１に記載のアンテナ装置において，前記アンテナ素子は，前記本体ベースの略中心位置から，該本体ベースの一方の長辺側方向に取付けられたので，
一般的な使用の状態においては，本体ベースの小型化をしても室内アンテナの重心位置が，本体ケースの設置面の範囲を越えないため安定して自立させることができる。
【００１１】
請求項３の発明によれば，請求項１又は請求項２に記載のアンテナ装置において，少なくとも前記本体ベースの他方の長辺側の底部と，前記支持脚の一部が同一平面上となるように形成したので，
設置対象のテレビ受像機等の上面等に多少の段差があったとしても，本体ケースの底部の一部と支持脚の設置部とが夫々間隔をあけて同一平面を形成しているので，アンテナが段差に影響を受けることなく設置できる。
。
【００１２】
請求項４の発明によれば，請求項１乃至請求項３に記載のアンテナ装置において，前記支持脚は，本体ベースに着脱自在に固着したので，
前記支持脚によって，安定的自立させると共に，支持脚を必要としない場合若しくは荷姿にある場合など支持脚を必要としない場合においては，前記支持脚を収納若しくは着脱させることによって，小型の室内アンテナを提供できる。
【発明を実施するための最良の形態】
【００１３】
以下に，本発明を具体化した実施形態の例を，図面を基に詳細に説明する。
図１は本願の室内アンテナの斜視図である。図２は本願の室内アンテナの側面図である。図３は他の実施例を示す側面図である。図４（ａ），（ｂ），（ｃ）は支持脚の実施例を示す。図５は支持脚の他の実施例を示す。
尚，以下の説明においては特に方向を説明しない場合は，図１のように自立させたときの状態における方向を示す。
【実施例１】
【００１４】
図において，室内アンテナ１は本体ベース２とアンテナ部３と周知のロッドアンテナ４と，端部に接続プラグ１０ａを備えた同軸ケーブル１０で構成されている。尚，ロッドアンテナ４は有っても良いし無くても良い。尚，前記アンテナは，例えば前記アンテナ部３がＵＨＦ受信用であり，ロッドアンテナ４はＶＨＦ受信用である例を示したが，特にこれに限定されるものではない。
【００１５】
上記本体ベース２は合成樹脂材料（例えばＡＢＳ樹脂，ポリプロピレン樹脂，ポリスチレン樹脂など）でもって成形されており，内部にはプリント配線板やリード線等の電子部品を収納するための収納空間を形成させてあり，奥行方向の寸法に比べて，左右方向の寸法が長い断面略長方形に形成されている。
更にこの本体ケース２は図２に示すように，高さ方向の寸法ｈが本体ケース奥行方向の寸法Ｗより小さくなるように形成されているので，本体ケース２の外形は小型になるように形成されている。
また本体ケース上面の大きさは，本体ケース２の上面の左右方向の端部に固着された前記ロッドアンテナ４を収納した状態で，本体ケース２の上面範囲から外方向に突出しない範囲内に収容できるように形成されている。更に，本体ケース２の前面側方向には，アンテナ部３を支持する支持部６が本体ケースに一体的若しくは，着脱自在に固着されるように構成されている。
【００１６】
アンテナ部３は，合成樹脂材料（例えばＡＢＳ樹脂，ポリプロピレン樹脂，ポリスチレン樹脂など）でもって成形されたアンテナカバーを略円形状に成形し，アンテナ部３の下部分を前記支持部６と係合固着させている。本願のアンテナ部３のアンテナカバーは夫々金型でもって成形された２つの構成部材からなり，当該構成部材の一方の内部には図示されていないアンテナ素線を周知の係止手段によって固定した後，この構成部材を合着させてアンテナ部３を形成している。
尚，本願の実施例ではアンテナ素線を用いて構成した例を示したが，金属材料をプレス等の手段で打ち抜いて形成してもよく，この場合はアンテナカバーは無くてもよい。
また更に，本願の実施例においてはアンテナ部３と支持部６とは係合固着されており，支持部６と本体ケース２とは一体的若しくは着脱自在に固着するように構成された例を示したが，支持部６と本体ケース２を蝶着させて支持部６と本体ケース２とを一体的に可倒自在に固着した構成よしてもよいし，アンテナ部３と支持部６とを蝶着させてアンテナ部３を可倒自在に固着した構成としてもよい。
【００１７】
本願の室内アンテナ１は，上述のように本体ベース２を出来得る限り小型化したいがために，本体ベース２の左右，奥行方向の寸法を，前記ロッドアンテナ４の収納状態における外形を僅かに越える範囲とし，更に安定性をよくするために上下方向の寸法を低くなるように構成してある。
従ってロッドアンテナ４を傾けた状態において，自立するには不安定な状態が発生する場合が生じてしまう。例えば本願に示す実施例においては，前記ロッドアンテナ４は例えば図２に示すような可動範囲において可動自在と成るように取付けられているので，ロッドアンテナ４の重心位置が変動する。これによってロッドアンテナ４の重心点の位置によっては自立しない場合が生じることになる。 
一方で，このような室内アンテナを使用する場合は，使用状態においてデザイン的にもスッキリした状態で設置したいので，ロッドアンテナ４を直立若しくは後方に傾倒させ，本体ケース２を少しずつ回転させながら，受信状態が最適となるように調整するのが一般的である。
【００１８】
そこで本願の実施例においては，図２に示すようにアンテナ部３を本体ケース２の前面側に配設すると共に，ロッドアンテナ４の固着位置を，ロッドアンテナ４の収容状態において，前記アンテナ部３と電気的にも構造的にも干渉しない，少なくとも本体ケース２の中心位置より前面側の位置となるように配設させてある。したがって一般的な使用の状態においては，本体ベース２の小型化をしても室内アンテナ１の重心位置が，本体ケース２の設置面の範囲を越えないため安定して自立させることができる。
【００１９】
ところがロッドアンテナ４の全ての可倒範囲全域において安定的に自立させることを考えると，ロッドアンテナを前面方項に傾倒した場合，重心位置が本体ケース２の設置面の範囲を超えてしまい安定して自立しないことがある。
そこで本願においては，少なくともロッドアンテナの調整範囲において，重心位置の変動があっても安定的に室内アンテナが自立するように，本体ケースの前面側方向に少なくとも１つの小型の支持脚５を突出するように備えさせることによって，本願の室内アンテナ１を安定的自立させると共に，支持脚５を必要としない場合若しくは荷姿にある場合など支持脚５を必要としない場合においては，前記支持脚を収納若しくは着脱させることによって，小型の室内アンテナを提供するものである。
【００２０】
図４及び図５に本願の支持脚の実施例を示す。図４（ａ）は支持脚５を本体ケース２に設けた取付溝に着脱自在に固着する方法である。この実施例では取付溝は本体ケース２の一方の長辺側側面に形成されているが，この実施例に限定されるものではなく，前記一方の長辺側近傍の底面側に設けてもよい。この実施例では支持脚５の必要性（所謂，安定的に自立させる時及び荷姿の状態）に応じて取付けたり，取外したりできる。
図４（ｂ）は，支持脚５を本体ケース２の底面に蝶着部５ａにおいて蝶着させて，開閉自在に固着したものである。この実施例では，支持脚５を必要とする時は底部に収納された支持脚５を回転させて本体ケース２の外方向に突出させればよい。必要としない場合は簡単に収納である。
図４（ｃ）は，支持脚５を本体ケース２から引き出し及び収納可能なように本体ケース２と係止部２ａとでもって摺動係止したものである。
【００２１】
図５には，本体ケース２の底部全体と，支持脚５の設置面とが同一平面上にならないように構成したものであり，本願の実施例では，少なくとも本体ケース２の他方側の長辺側底部と前記支持脚５の設置面とが間隔を所定範囲とりながら，同一平面上となるように構成したものである。この実施例では，設置対象のテレビ受像機等の上面等に多少の段差があったとしても，本体ケース２の底部の一部と支持脚５の設置部とが夫々間隔をあけて同一平面を形成しているので，アンテナが段差に影響を受けることなく設置できるのである。
尚，この実施例では，支持脚５を使わないときなど収納が必要なときは，取付け方向を前後逆さまにして取付けることができる。このとき支持脚５の挿入係止部５ｂと本体ケース２の係止溝２ｂとは，支持脚５を使用するとき（支持脚を前方向に取付ける。）は，挿入係止部５ｂが係止溝２ｂの途中位置で嵌合するように形成し，支持脚５を収納したいとき（所謂，支持脚を後方向に向けて取付ける。）は，挿入係止部５ｂが係止溝の終端部に当接するまで挿入し係止するように嵌合するように構成しておけば，前記支持脚５が本体ケースから突出する寸法がＬ１＞Ｌ２となり，且つ，支持脚５は本体ケース２の前方側外方向に突出することが無いので，本願の室内アンテナ１を安定的自立させると共に，支持脚５を必要としない場合若しくは荷姿にある場合など，より小型にできる室内アンテナを提供できるのである。
尚，各部の構成は本願の実施例に限定されるものではなく，各構成を適宜に変更してもよい。
【図面の簡単な説明】
【００２２】
【図１】本願の室内アンテナの斜視図である。
【図２】本願の室内アンテナの側面図である。
【図３】本願に室内アンテナの他の実施例を示す側面図である。
【図４】本願の支持脚の実施例を示す。
【図５】本願の支持脚の他の実施例を示す。
【符号の説明】
【００２３】
１…室内アンテナ，２…本体ケース，２ａ…係止部，２ｂ…係止溝，３…アンテナ部，４…ロッドアンテナ，５…支持脚，５ａ…枢着部，５ｂ…挿入係止部，１０…同軸ケーブル，１０ａ…コネクター，
【図１】
2006094443.tif 000003
【図２】
2006094443.tif 000004
【図３】
2006094443.tif 000005
【図４】
2006094443.tif 000006
【図５】
2006094443.tif 000007